(57)【要約】【課題】仮設足場の構築及びその解体に際して、支柱への取り付け及び取り外しを簡便かつ安全に行うことができる先行手すりを提案する。【解決手段】仮設足場を構築する際、作業床Ｂの形成に先立って隣接支柱Ｐの相互間に設置される先行手すり１であって、手すり本体２と、手すり本体２の両端にそれぞれ設けられ、支柱Ｐの周壁に設けられたソケットＳに係止される係止部３と、係止部３にそれぞれ第１の枢軸ｑ１を介して回動可能に保持され、相互の交差姿勢でもって自由端を係止部３の下方でＰ支柱にそれぞれ連結可能な一対のブレース４と、を備え、係止部３は、第２の枢軸ｑ２を介して回動可能に手すり本体２に保持されている先行手すり１である。【選択図】図１
2017223082.tif 000002
【特許請求の範囲】
【請求項１】
仮設足場を構築する際、作業床の形成に先立って隣接支柱の相互間に設置される先行手すりであって、
手すり本体と、
前記手すり本体の両端にそれぞれ設けられ、前記支柱の周壁に設けられたソケットに係止される係止部と、
前記係止部にそれぞれ第１の枢軸を介して回動可能に保持され、相互の交差姿勢でもって自由端を前記係止部の下方で前記支柱にそれぞれ連結可能な一対のブレースと、を備え、
前記係止部は、第２の枢軸を介して回動可能に前記手すり本体に保持されていることを特徴とする先行手すり。
【請求項２】
前記第２の枢軸は、前記手すり本体の端部に長手方向を該手すり本体の延在方向と一致するよう設けられた長穴内に挿通されていることを特徴とする請求項１に記載の先行手すり。
【請求項３】
前記係止部は、前記長穴内を前記第２の枢軸が移動することにより前記手すりの延在方向に移動可能であり、その移動可能距離は５ｍｍ以上２０ｍｍ以下であることを特徴とする請求項２に記載の先行手すり。
【請求項４】
前記手すり本体に対して前記ブレースを折り畳んだ際に前記手すり本体と前記ブレースとが近接するよう前記第１の枢軸及び第２の枢軸間の距離が設定されていることを特徴とする請求項１から３までの何れか一項に記載の先行手すり。
【発明の詳細な説明】
【技術分野】
【０００１】
本発明は、建築現場や土木工事現場で構築される仮設足場に用いて好適な先行手すりに関するものである。
【背景技術】
【０００２】
建築現場や土木工事現場において構築される工事用の仮設足場は、複数本の支柱と、これらの支柱を相互につなぐ複数本の腕木材と、該腕木材の相互間に架け渡され、作業床や通路を形成する複数枚の足場板と、該足場板の外側で支柱の相互間に固定保持され、作業床上での安全性を確保する手すりとを適宜組み合わせたもので構成されている。
【０００３】
このうち手すりとしては、組立て時には上層の作業床を形成する前段階で支柱の相互間に手すりを予め取り付け、解体時には上層の作業床を取り外すまで手すりを残す手すり先行工法に適したもの（先行手すり）があり、このような先行手すりは、足場からの墜落災害防止に大きく貢献している。
【０００４】
ところで、例えば特許文献１に開示されるような従来の先行手すりは、図９に示すように、棒状部材にて構成される手すり本体１０２と、該手すり本体１０２の端部に形成された曲げ部１０２ａの末端に溶接され、支柱Ｐの側壁に設けられたソケットＳに差し込まれて連結される係止部１０３と、該係止部１０３にそれぞれ枢軸ｑを介して回動可能に保持された一対のブレース１０４とからなるものであり、かかる先行手すりを支柱Ｐに取り付けるには、まず、図９（ａ）に示すようにブレース１０４を手すり本体１０２とともに持ち上げ、図９（ｂ）に示すように一方の係止部１０３の鉤部１０３ｂをソケットＳに引っ掛けた状態で他方のブレース１０４を持ち上げて手すり本体１０２を水平姿勢とし、この状態で図９（ｃ）に示すように両側の係止部１０３の鉤部１０３ｂを支柱ＰのソケットＳに差し込み、その後、図９（ｃ）に示すように２本のブレース１０４を相互に交差させるとともにその自由端を固定部等を介して支柱にそれぞれ固定するという手順になる。当該先行手すりを解体する場合の手順は取り付け時の手順と逆であり、つまり、ブレース１０４の下端を支柱Ｐから外し、２本のブレース１０４を持ち上げることで両側の係止部１０３の鉤部１０３ｂを支柱ＰのソケットＳから引き抜くという手順になる。
【先行技術文献】
【特許文献】
【０００５】
【特許文献１】特開２０１２−１９７６０９号公報
【発明の概要】
【発明が解決しようとする課題】
【０００６】
しかしながら、この種の先行手すりにあっては、取付け時には手すり本体１０２を完全な水平姿勢とした状態で両側の係止部１０３の鉤部１０３ｂを支柱ＰのソケットＳに同時に差し込む必要があり、この際手すり本体１０２が水平でないと係止部１０３の鉤部１０３ｂが支柱のソケット内で引っかかってスムーズに差し込むことはできない。解体時も同様であり、両側の係止部１０３を同時に持ち上げてソケットＳから引き抜く必要があり、片側を先に外してしまうと他側の係止部１０３がソケットに引っ掛かって外れにくくなる。したがって、従来の先行手すりはその取り付け及び取り外しに際して手間がかかるものであり、また、取り付け及び取り外し時に両手が塞がることから安全性についても改善の余地があった。
【０００７】
それ故本発明の目的は、仮設足場の構築及びその解体に際して、支柱への取り付け及び取り外しを簡便かつ安全に行うことができる先行手すりを提案することにある。
【課題を解決するための手段】
【０００８】
本発明は上記課題を解決するためになされたものであり、本発明は、仮設足場を構築する際、作業床の形成に先立って隣接支柱の相互間に設置される先行手すりであって、手すり本体と、前記手すり本体の両端にそれぞれ設けられ、前記支柱の周壁に設けられたソケットに係止される係止部と、前記係止部にそれぞれ第１の枢軸を介して回動可能に保持され、相互の交差姿勢でもって自由端を前記係止部の下方で前記支柱にそれぞれ連結可能な一対のブレースと、を備え、前記係止部は、第２の枢軸を介して回動可能に前記手すり本体に保持されていることを特徴とするものである。
【０００９】
なお、本発明の先行手すりにあっては、前記第２の枢軸は、前記手すり本体の端部に長手方向を該手すり本体の延在方向と一致するよう設けられた長穴内に挿通されていることが好ましく、この場合、前記係止部は、前記長穴内を前記第２の枢軸が移動することにより前記手すりの延在方向に移動可能であり、その移動可能距離は５ｍｍ以上２０ｍｍ以下であることが好ましい。
【００１０】
また、本発明の先行手すりにあっては、前記手すり本体に対して前記ブレースを折り畳んだ際に前記手すり本体と前記ブレースとが近接するよう前記第１の枢軸及び第２の枢軸間の距離が設定されていることが好ましい。ここで「近接する」とは、手すり本体に対してブレースを折り畳んだ際に、手すり本体とブレースとの間の隙間がブレースの太さ（太さが長手方向に均一でない場合には最大太さ）以下となる位置関係を意味するものとする。
【発明の効果】
【００１１】
本発明の先行手すりにあっては、手すり本体の各端部に設けられた係止部は第２の枢軸を介して手すり本体に対して回動可能であり、先行手すりを支柱に取り付けるには、まず、片方の係止部を支柱に設けられたソケットに係止させ、次いでソケットに連結された係止部の第２の枢軸を中心に手すり本体を回動させ、他方の係止部を他の支柱のソケットに係止させることができる。また、先行手すりを支柱から取り外す際には、片方の係止部において支柱のソケットとの係止を解除し、次いで他方の係止部において支柱のソケットとの係止を解除することができる。
【００１２】
したがって、本発明の先行手すりによれば、手すり本体の端部に設けられた係止部を片側ずつ支柱へ取り付け、又はその取り外しを行うことができるため、図９を参照して説明した、手すり本体を水平に保持した状態で両側の係止部を同時にソケットに差し込む又は引き抜く必要がある従来の先行手すりに比べて、先行手すりの支柱への取り付け及びその取り外し作業を簡便に行うことができる。
【図面の簡単な説明】
【００１３】
【図１】本発明の一実施形態の先行手すりを支柱に組み付けた状態で示す概略図である。
【図２】本発明の一実施形態の先行手すりを取り付けるのに適したソケット付きの支柱を示す斜視図である。
【図３】図１の先行手すりにおける手すり本体を示し、（ａ）は平面図、（ｂ）は側面図、（ｃ）は正面又は背面図である。
【図４】図１の先行手すりにおけるブレースを示し、（ａ）は平面図、（ｂ）は側面図、（ｃ）は正面図である。
【図５】図１の先行手すりにおける係止部を示し、（ａ）は平面図、（ｂ）は正面図、（ｃ）は側面図、（ｄ）は背面図である。
【図６】図１に示した先行手すりの支柱への取り付け手順を説明する概略図である。
【図７】（ａ）は図６（ｃ）の一部を拡大して示す概略図であり、（ｂ）は図７（ａ）の状態から係止部の鉤部を支柱のソケットに差し込んだ後の様子を示す概略図である。
【図８】図１に示した先行手すりを折り畳んだ状態で示す概略図である。
【図９】従来の先行手すりを支柱に組み付ける手順を示した概略図である。
【発明を実施するための形態】
【００１４】
以下、本発明の実施の形態を図面を参照して詳細に説明する。
【００１５】
図１に示すように、本発明の一実施形態の先行手すり１は、主として、隣接する支柱Ｐ間に水平に架け渡される手すり本体２と、支柱Ｐの周壁に設けられたソケットＳに係止され、手すり本体２を支柱Ｐに連結する係止部３と、係止部３にそれぞれ第１の枢軸ｑ１を介して回動可能に保持され、相互の交差姿勢でもって自由端を係止部３の下方で支柱Ｐにそれぞれ連結可能な一対のブレース４（筋交い）とを備える。更に図１には、紙面奥行き方向で隣接する支柱Ｐを相互につなぐ複数本の腕木材Ａと、該腕木材Ａの相互間に架け渡され作業床や通路を形成する足場板Ｂも示されている。
【００１６】
ここで支柱Ｐの周壁に設けられたソケットＳとしては、その要部を図２に拡大して示すように、例えば、支柱Ｐの周壁に対面する対向壁ｓ１と、該対向壁ｓ１の左右端縁から支柱Ｐの周壁に向けて延出するとともに該周壁に溶接等で固定された一対の側壁ｓ２，ｓ３とからなる断面コ字状に形成され、その内側に上下において貫通する通路を有し、その通路内に先行手すり１の係止部３を差し入れることができるものが適用される。しかし本発明に適用可能なソケットはこれに限られず、先行手すり１の係止部３を支柱Ｐの周壁に連結させることが可能であるならばその構造は開口部を有するフランジ（図示省略）等、適宜変更することができる。
【００１７】
本実施形態の先行手すり１を構成する各部材について説明すると、図３に示すように手すり本体２は、一端から他端に真っ直ぐ延びるとともに端部２ａ，２ｂがそれぞれ偏平に潰された中空パイプ状の部材にて構成されている。手すり本体２には、図９において示したような曲げ部１０２ａは設けていない。手すり本体２の偏平な端部２ａ,２ｂには、長手方向を該手すり本体の延在方向と一致するよう設けられた長穴５がそれぞれ形成されている。
【００１８】
図１及び図４に示すように、ブレース４は、第１の枢軸ｑ１によって係止部３に回動自在につながれる固定端４ａから反対側の自由端４ｂに向けて真っ直ぐに延びるとともにその両端部４ａ，４ｂが偏平に潰された中空パイプ状の部材にて構成されている。第１の枢軸ｑ１はリベットやボルトなどの連結ピンで構成することができる。
【００１９】
図１に示すように、ブレース４の自由端４ｂには固定部６が設けられている。固定部６は、具体的に、ブレース４の自由端４ｂに支持され、ソケットＳを上下において挟み込む挟持部７ａ，７ｂを有するブラケット７と、このブラケット７の挟持部７ａ,７ｂ及びソケットＳを上下に貫いてそれらを相互に離脱不能に連結する楔部材８とを有している。楔部材８には楔部材８の延在方向（図１では上下方向）に沿って延びる縦穴（貫通穴）８ａが形成されており、楔部材８は、この縦穴８ａに挿通されたリベット９を介してブラケット７に昇降自在に保持されている。
【００２０】
図１に示すように、係止部３は、手すり本体２の端部２ａ,２ｂに連結されるベース３ａと、このベース３ａの下端に垂下保持され、支柱ＰのソケットＳに差し込まれる鉤部３ｂとを有しており、この鉤部３ｂを支柱ＰのソケットＳに差し込むことによって手すり本体２は支柱Ｐに連結される。
【００２１】
係止部３はその平面、正面、側面、背面を図５（ａ）〜（ｄ）に示すように、プレス加工により所定形状に成形した板状部材に曲げ加工を施してなる一体成形体であり、支柱に連結した際に支柱の周壁に当接可能なガイド壁９ａと、該ガイド壁９ａの左右端縁から支柱に対して離間する方向に延出してその相互間に手すり本体２の偏平な端部２ａ,２ｂ及びブレース４の偏平な端部４ａの挿入空間を形成する一対の側壁９ｂ,９ｃとを有している。また、図５（ｂ）,（ｄ）に見てとれるように、一対の側壁９ｂ,９ｃの下端は先細りとなるよう曲げ成形されており、これにより支柱ＰのソケットＳ内への鉤部３ｂの差し込みは容易に行うことができる。また図５（ｃ）において符号ｈ１は第１の枢軸ｑ１を挿通させる穴であり、ｈ２は第２の枢軸ｑ２を挿通させる穴である。また、ベース３ａの下端には鉤部３ｂを支柱ＰのソケットＳに差し込んだ際にソケットＳの対向壁ｓ１の上端に当接する係止面３ａ１が設けられている。
【００２２】
そして、図１に示すように係止部３はそのベース３ａにおいて第２の枢軸ｑ２を介して回動可能に手すり本体２に保持されている。第２の枢軸ｑ２はリベットやボルト等の連結ピンで構成される。第２の枢軸ｑ２は手すり本体２の端部２ａ,２ｂに形成された上述の長穴５に挿通されるとともに係止部３を手すり本体２に連結している。したがって、係止部３は第２の枢軸ｑ２を介して手すり本体２に対して回動可能であり、かつ長穴５の範囲内で手すり本体２の延在方向に沿って移動可能である。
【００２３】
更に係止部３の上端には、その一対の側壁９ｂ,９ｃ間の上部開口を塞ぎ手すり本体２に対する係止部３の回動を規制する規制板１１が設けられている。規制板１１は、その下面に手すり本体２の端部２ａ,２ｂが当接することで係止部３の、第２の枢軸ｑ２を中心とした外側への過度な拡開が防止されるよう構成されたものであり、具体的には係止部３の鉤部３ｂ又はガイド壁９ａの延在方向と手すり本体２の延在方向（軸心）とのなす角度θ（図７参照）が１１０°、好ましくは１００°を超えないよう係止部３の回動を規制する。一方、手すり本体２の端面は略半円状の湾曲面であるため、規制角度以下では係止部３は内側へ自由に回動可能である。
【００２４】
図６（ａ）〜（ｄ）は、上述した先行手すり１の取り付け手順について示すものである。先行手すり１を支柱Ｐに取り付けるには、まず、図６（ａ）に示すように一方のブレース４を手すり本体２に対して折り畳んだ状態で当該ブレース４を下方へ引っ張り、係止部３の鉤部３ｂを略垂直姿勢へと回動させ、その姿勢のまま係止部３の鉤部３ｂを支柱Ｐに設けられたソケットＳに差し込み、当該一方の係止部３（図示例では左側の係止部３）を支柱Ｐに連結する。
【００２５】
次いで、図６（ｂ）に示すように、他方の係止部３（図示例では右側の係止部３）につながれたブレース４を持ち上げることで、図６（ｃ）に示すように、手すり本体２を略水平姿勢となるまで回動させるとともに当該他方の係止部３も持ち上げる。この際、図７（ａ）に示すように係止部３は規制板１１によって拡開方向への回動が規制されるため、当該係止部３の鉤部３ｂは略垂直姿勢となる。また、手すり本体２の、第２の枢軸ｑ２が挿通される穴は長穴５として形成されているため、図中矢印で示すように、第２の枢軸ｑ２を長穴５内で内側に移動させることで、係止部３を鉤部３ｂの略垂直姿勢を維持したまま手すり本体２の内側へ移動させることができる。これにより、図７（ａ）に仮想線で示した係止部３と支柱Ｐとの干渉は回避することができ、図７（ｂ）に示すように係止部３をソケットＳ内にスムーズに差し込むことができる。
【００２６】
最後に、図６（ｄ）に示すように、２本のブレース４の自由端４ｂを固定部６を介して係止部３の下方のソケットＳにそれぞれ固定する。ブレース４の自由端４ｂを支柱ＰのソケットＳに固定すると、係止部３には外側へ押し広げられるような力が加わるため、図７（ｂ）中の矢印が示すように、第２の枢軸ｑ２は長穴５内で外側の正規の位置へ移動する。なお、どちらのブレース４を先に固定するかは任意であり、順序は問わない。
【００２７】
先行手すり１を支柱Ｐから取り外すには、上記手順と反対の手順で行えばよく、つまり、固定部６によるブレース４の下端の固定を解除し、左右いずれか一方の係止部３を一方のブレース４を持ち上げることによりソケットＳから引き抜き、次いで左右いずれか他方の係止部３を他方のブレース４を持ち上げることによりソケットＳから引き抜けばよい。
【００２８】
図６及び７を参照して説明した手順からも明らかなように、本実施形態の先行手すり１によれば、手すり本体２の端部２ａ,２ｂに設けられた係止部３を片方ずつ支柱Ｐへ取り付け、又はその取り外しを行うことができるため、図９で示したような、手すり本体１０２を完全な水平に保持した状態で両側の係止部１０３を同時にソケットＳに差し込む必要がある従来の先行手すり１００に比べて、先行手すり１の支柱Ｐへの取り付け及びその取り外し作業を簡便に行うことができる。
【００２９】
また、本実施形態の先行手すり１によれば、手すり本体２の端部２ａ,２ｂに第２の枢軸ｑ２を挿通させる長穴５を設けたことから、係止部３を支柱Ｐに設けられたソケットＳに差し込む際に当該係止部３を内側に移動させ、支柱Ｐとの干渉を回避することができるとともに、係止部３をソケットＳにスムーズに差し込むことができる。このことから、長穴５による各係止部３の移動可能距離は、例えば５ｍｍ以上２０ｍｍ以下とすることが好ましく、１０ｍｍであることがより好ましい。長穴５による係止部３の移動可能距離が５ｍｍ未満であると係止部３をソケットＳに差し込む際の係止部３と支柱Ｐとの干渉を十分に回避できない可能性があり、２０ｍｍを超えると係止部３が内側へ過度に移動しソケットＳに差し込みにくくなる可能性があるからである。
【００３０】
また、実際の足場構築現場では、上下に継ぎ合わされた支柱Ｐのジョイント部の遊び等により支柱Ｐは完全な垂直ではなく、僅かに傾斜する場合がある。例えば、支柱Ｐが内側に傾いている場合には、先行手すり１を架け渡す支柱Ｐ間のスパンが基準よりも短くなり、先行手すり１の係止部３を支柱ＰのソケットＳに差し込みにくくなる。しかし、本実施形態の先行手すり１のように、手すり本体２の端部２ａ,２ｂに長穴５を設け、この長穴５に第２の枢軸ｑ２を挿通させる構成とすることにより、左右の係止部３間の距離を調整することができるようになり、支柱Ｐ間のスパンが基準よりも短い場合あるいは長い場合においても当該スパンの変化を補償して先行手すり１を容易に取り付けることができる。
【００３１】
さらに、本実施形態の先行手すり１によれば、手すり本体２に曲げ部１０２ａ（図９参照）を設けず、直線状に延在する構成したことから、係止部３を第２の枢軸ｑ２を介して回動可能としたことと相俟って、図８に示すようにブレース４を手すり本体２と近接する位置まで折り畳むことができる。これにより、手すり本体２及びブレース４を纏めて片手で掴んで持ち運ぶことができるようになり、空いた方の手で周囲の手すりや支柱Ｐにつかまることができて持ち運び時の安全性を高めることができる。これをより確実とするため、手すり本体２に対してブレース４を折り畳んだ際の手すり本体２とブレース４との隙間ｇがブレース４の太さ（最大太さ）以下となるよう第１の枢軸ｑ１と第２の枢軸ｑ２とのなす距離Ｌを設定するのが好ましい。
【産業上の利用可能性】
【００３２】
本発明の先行手すりによれば、支柱への取り付け及び取り外しを簡便かつ安全に行うことができる。
【符号の説明】
【００３３】
１  先行手すり
２  手すり本体
３  係止部
３ａ  ベース
３ｂ  鉤部
４  ブレース
５  長穴
６  固定部
１１  規制板
ｑ１  第１の枢軸
ｑ２  第２の枢軸
Ｐ  支柱
Ｓ  ソケット
【図１】
2017223082.tif 000003
【図２】
2017223082.tif 000004
【図３】
2017223082.tif 000005
【図４】
2017223082.tif 000006
【図５】
2017223082.tif 000007
【図６】
2017223082.tif 000008
【図７】
2017223082.tif 000009
【図８】
2017223082.tif 000010
【図９】
2017223082.tif 000011